(57)【要約】【課題】タイム・フリー再生中に重畳文字情報の放送が受信された場合、その重畳文字情報についてはリアル・タイムに視聴できるディジタル・テレビジョン放送記録再生装置を提供する。【解決手段】復調部１と記録再生部１２を備えるディジタル・テレビジョン放送記録再生装置１０１に、さらに、番組のデータ・ストリーム信号から重畳文字情報を検出する重畳文字検出部３１と、重畳文字検出部３１から出力された重畳文字情報を映像信号に変換する文字復号部３２と、映像／音声復号部４から出力された映像信号に文字復号部３２から出力された映像信号を重畳する文字重畳部３３を設け、制御部７１により、タイム・フリー再生中に重畳文字情報の放送が受信された場合、その重畳文字情報についてはリアル・タイムに出力させる。【選択図】　　　　図１
2004072439.tif 000002
【特許請求の範囲】
【請求項１】
ディジタル・テレビジョン放送の番組情報を受信してディジタル信号に復調する復調部と、
前記復調部から出力されるディジタル信号から所望の番組のデータ・ストリーム信号を抽出するストリーム処理部と、
前記ストリーム処理部から出力されたデータ・ストリーム信号を記録すると共に、記録されたデータ・ストリーム信号を再生し、その記録処理と再生処理を同時に実施可能である記録再生部と、
前記ストリーム処理部から出力されたデータ・ストリーム信号と、前記記録再生部から出力されたデータ・ストリーム信号とから、一方を選択して出力する選択部と、
前記選択部から出力されたデータ・ストリーム信号を、映像信号、音声信号、および、データ信号に分類して復号する映像／音声復号部と、
前記番組のデータ・ストリーム信号から、重畳文字情報を検出する重畳文字検出部と、
前記重畳文字検出部から出力された重畳文字情報を映像信号に変換する文字復号部と、
前記映像／音声復号部から出力された映像信号に、文字復号部から出力された映像信号を重畳する文字重畳部と、
ディジタル・テレビジョン放送の番組情報の受信指示、番組情報の選択、前記記録再生部への記録と再生、前記記録再生部への記録と再生の同時の実施を少なくとも入力可能な操作入力部と、
ディジタル・テレビジョン放送記録再生装置全体を制御する制御部と
を備え、
該制御部は、前記記録再生部で記録と再生を同時実施中に、前記重畳文字情報が受信された場合、前記文字重畳部で、前記映像／音声復号部から出力された映像信号と、前記文字復号部から出力された文字の映像信号を重畳した映像信号を出力する
ことを特徴とするディジタル・テレビジョン放送記録再生装置。
【請求項２】
前記重畳文字情報が記録および再生された情報ではなく生情報であることを示す文字列を格納する文字情報蓄積部を備え、
前記制御部は、前記文字重畳部が前記映像／音声復号部からの映像信号に前記文字復号部からの映像信号を重畳する際には、前記文字重畳部に文字情報蓄積部からの文字列をさらに重畳させる
ことを特徴とする請求項１に記載のディジタル・テレビジョン放送記録再生装置。
【請求項３】
前記操作入力部により前記重畳文字情報を受信時に表示させるか非表示かを選択できる場合に、該重畳文字情報の表示について選択された内容を格納する重畳文字設定格納部を備え、
使用者が表示を選択している場合、前記制御部は、前記文字重畳部に前記重畳文字情報を重畳させ、
使用者が非表示を選択している場合、前記制御部は、前記文字重畳部に前記重畳文字情報を重畳させない
ことを特徴とする請求項１または２に記載のディジタル・テレビジョン放送記録再生装置。
【請求項４】
前記文字情報蓄積部を備える場合には、前記重畳文字設定格納部は、前記文字情報蓄積部に格納された文字列を表示するか非表示にするかの設定についても格納する
ことを特徴とする請求項３に記載のディジタル・テレビジョン放送記録再生装置。
【請求項５】
前記文字情報蓄積部に複数の文字列を格納する場合には、
前記操作入力部は、該複数の文字列から任意の文字列を選択でき、前記重畳文字設定格納部は、選択された文字列の設定も格納する
ことを特徴とする請求項３または４に記載のディジタル・テレビジョン放送記録再生装置。
【請求項６】
前記記録再生部は、データ・ストリーム信号を放送の受信レートよりも高速のレートで読み出しおよび書き込みできるハード・ディスク・ドライブ装置である
ことを特徴とする請求項１乃至５の何れかに記載のディジタル・テレビジョン放送記録再生装置。
【請求項７】
前記記録再生部の前段には、誤り訂正機能を有して伝送に用いられるデータ・ストリーム信号であるトランスポート・ストリーム（ＴＳ）信号を、誤り訂正機能を有していないプログラム・ストリーム（ＰＳ）信号に変換するＴＳ／ＰＳ変換部を備え、
前記記録再生部は、データ・ストリーム信号としてＰＳ信号を記録および再生する
ことを特徴とする請求項１乃至６の何れかに記載のディジタル・テレビジョン放送記録再生装置。
【発明の詳細な説明】
【０００１】
【発明の属する技術分野】
本発明は、例えば、ディジタル・テレビジョン（ＤＴＶ）放送の番組情報を受信して記録および再生するディジタル・テレビジョン放送記録再生装置に関する。
【０００２】
【従来の技術】
図７は、従来のディジタル・テレビジョン放送記録再生装置の構成を示すブロック図である。
【０００３】
図７のディジタル・テレビジョン放送記録再生装置１００において、１は、無線周波数であるディジタル・テレビジョン（ＤＴＶ）放送の番組情報を、受信してベースバンド信号に周波数変換し、ディジタル復調処理を行う復調部であり、２は、復調部１から出力されたディジタル信号であるトランスポート・ストリーム（ＴＳ）信号（データ・ストリーム信号の中の一種）から使用者が所望する任意のトランスポート・ストリーム信号を抜き出す（抽出する）ことができるストリーム処理部である。
【０００４】
１１は、ストリーム処理部２から出力されたＴＳ信号をプログラム・ストリーム（ＰＳ）信号（データ・ストリーム信号の中の一種）に変換するＴＳ／ＰＳ変換部であり、１２は、ＰＳ信号を映像情報として記録（蓄積）すると共に、記録されたＰＳ信号を再生し、その記録処理と再生処理を同時に実施することができる記録再生部としてのハード・ディスク・ドライブ（ＨＤＤ）装置である。なお、ＴＳ信号は誤りの発生する伝送路における使用を前提としており、放送や通信に用いられる信号であるが、ＰＳ信号は、誤りのない伝送路（蓄積）における使用を想定した信号である。
【０００５】
３は、視聴者の要求によりＨＤＤ部１２から出力された再生出力信号（ＰＳ信号）と、ストリーム処理部２からの出力信号（ＴＳ信号）とから一方を選択して出力する（切り替える）選択部となる選択部である。４は、選択部３から出力されたデータ・ストリーム信号（ＭＰＥＧ圧縮されている）を、映像信号、音声信号、および、データ信号に分類して復号（ＭＰＥＧ復号）し、出力する映像／音声復号部である。７０は、ディジタル・テレビジョン放送記録再生装置１００の全体を制御する制御部である。９０は、ディジタル・テレビジョン放送記録再生装置の使用者が所望する再生処理および記録処理のコマンド等を入力する操作入力部である。
【０００６】
制御部７０は、ＨＤＤ装置（記録再生部）１２で、例えば、タイム・フリー再生と称される一旦記録された映像情報を使用者の都合に合わせて時間差をつけて同時に再生する制御を実施する。タイム・フリー再生は、例えば、生放送のディジタル・テレビジョン放送の番組を使用者が視聴中に、電話がかかってきたり突然の来客があった場合に、その時点からの番組を一旦記録しておき、電話や来客の対応が終わった時点で、番組の記録を継続しつつ再生を開始することで、番組の途中を途切らせることなく使用者に視聴させることができる機能である。
【０００７】
従来のディジタル・テレビジョン放送記録再生装置では、制御部７０は、タイム・フリー再生中に字幕（スーパー・インポーズ）等の重畳文字情報が受信された場合、その重畳文字情報も一旦ＨＤＤに記録し、タイム・フリー再生のタイミングで重畳文字情報を再生していた。つまり、従来のタイム・フリー再生では、生放送で送信された重畳文字情報が使用者の都合により遅延されて、時間差を有する情報として再生されていた。
【０００８】
【発明が解決しようとする課題】
しかしながら、重畳文字情報の中には緊急性を要するものがある。例えば、「海中での地震の発生により３分後に津波が来る可能性がある」等の自然災害に関するような臨時ニュースあるいは緊急ニュースに属する一部の文字情報である。
【０００９】
従来のディジタル・テレビジョン放送記録再生装置では、緊急性を要する臨時ニュース等の重畳文字情報が放送されても、使用者がタイム・フリー再生を選択している場合には、使用者の都合に合わせて遅延されて、時間差を有して再生されていた。その場合、使用者がこの臨時ニュース情報等に気付くのが、中断された時間だけ遅れることになる。
【００１０】
臨時ニュース等の放送がタイム・フリー再生によって使用者への情報伝達が遅れることは、上記したような地震や津波などの緊急を要する自然災害情報に対する非難等の対策が遅れることになり、場合によっては人命に関わる場合もありうる。
【００１１】
このように従来のディジタル・テレビジョン放送記録再生装置のタイム・フリー再生では、タイム・フリー再生中に、臨時ニュース等の重畳文字情報をリアル・タイムに視聴できないという問題があった。
【００１２】
本発明は、上記した問題を解決するためになされたものであって、タイム・フリー再生中に重畳文字情報の放送が受信された場合、その重畳文字情報についてはリアル・タイムに視聴できるディジタル・テレビジョン放送記録再生装置を提供することを目的とする。
【００１３】
【課題を解決するための手段】
上記した目的を達成するため、請求項１に記載したディジタル・テレビジョン放送記録再生装置は、ディジタル・テレビジョン放送の番組情報を受信してディジタル信号に復調する復調部と、復調部から出力されるディジタル信号から所望の番組のデータ・ストリーム信号を抽出するストリーム処理部と、ストリーム処理部から出力されたデータ・ストリーム信号を記録すると共に、記録されたデータ・ストリーム信号を再生し、その記録処理と再生処理を同時に実施可能である記録再生部と、ストリーム処理部から出力されたデータ・ストリーム信号と、記録再生部から出力されたデータ・ストリーム信号とから、一方を選択して出力する選択部と、選択部から出力されたデータ・ストリーム信号を、映像信号、音声信号、および、データ信号に分類して復号する映像／音声復号部と、番組のデータ・ストリーム信号から、重畳文字情報を検出する重畳文字検出部と、重畳文字検出部から出力された重畳文字情報を映像信号に変換する文字復号部と、映像／音声復号部から出力された映像信号に、文字復号部から出力された映像信号を重畳する文字重畳部と、ディジタル・テレビジョン放送の番組情報の受信指示、番組情報の選択、記録再生部への記録と再生、記録再生部への記録と再生の同時の実施を少なくとも入力可能な操作入力部と、ディジタル・テレビジョン放送記録再生装置全体を制御する制御部とを備え、制御部は、記録再生部で記録と再生を同時実施中に、重畳文字情報が受信された場合、文字重畳部で、映像／音声復号部から出力された映像信号と、文字復号部から出力された文字の映像信号を重畳した映像信号を出力することを特徴とする。
【００１４】
また、請求項２の本発明は、請求項１に記載のディジタル・テレビジョン放送記録再生装置において、重畳文字情報が記録および再生された情報ではなく生情報であることを示す文字列を格納する文字情報蓄積部を備え、制御部は、文字重畳部が映像／音声復号部からの映像信号に文字復号部からの映像信号を重畳する際には、文字重畳部に文字情報蓄積部からの文字列をさらに重畳させることを特徴とする。
【００１５】
また、請求項３の本発明は、請求項１または２に記載のディジタル・テレビジョン放送記録再生装置において、操作入力部により重畳文字情報を受信時に表示させるか非表示かを選択できる場合に、その重畳文字情報の表示について選択された内容を格納する重畳文字設定格納部を備え、使用者が表示を選択している場合、制御部は、文字重畳部に重畳文字情報を重畳させ、使用者が非表示を選択している場合、制御部は、文字重畳部に重畳文字情報を重畳させないことを特徴とする。
【００１６】
また、請求項４の本発明は、請求項３に記載のディジタル・テレビジョン放送記録再生装置において、文字情報蓄積部を備える場合には、重畳文字設定格納部は、文字情報蓄積部に格納された文字列を表示するか非表示にするかの設定についても格納することを特徴とする。
【００１７】
また、請求項５の本発明は、請求項３または４に記載のディジタル・テレビジョン放送記録再生装置において、文字情報蓄積部に複数の文字列を格納する場合には、操作入力部は、その複数の文字列から任意の文字列を選択でき、重畳文字設定格納部は、選択された文字列の設定も格納することを特徴とする。
【００１８】
また、請求項６の本発明は、請求項１乃至５の何れかに記載のディジタル・テレビジョン放送記録再生装置において、記録再生部は、データ・ストリーム信号を放送の受信レートよりも高速のレートで読み出しおよび書き込みできるハード・ディスク・ドライブ装置であることを特徴とする。
【００１９】
また、請求項７の本発明は、請求項１乃至６の何れかに記載のディジタル・テレビジョン放送記録再生装置において、記録再生部の前段には、誤り訂正機能を有して伝送に用いられるデータ・ストリーム信号であるトランスポート・ストリーム（ＴＳ）信号を、誤り訂正機能を有していないプログラム・ストリーム（ＰＳ）信号に変換するＴＳ／ＰＳ変換部を備え、記録再生部は、データ・ストリーム信号としてＰＳ信号を記録および再生することを特徴とする。
【００２０】
【発明の実施の形態】
実施の形態１．
図１は、本発明の実施の形態１のディジタル・テレビジョン放送記録再生装置の構成を示すブロック図である。なお、図１に示す本実施の形態のディジタル・テレビジョン放送記録再生装置１０１では、図７に示す従来の映像ディジタル・テレビジョン放送記録再生装置１００に示された部分と同一あるいは同等な機能を有する部分には同符号を付し、重複する機能の説明を省略する。
【００２１】
図１に示すディジタル・テレビジョン放送記録再生装置１０１が、図７に示した従来のディジタル・テレビジョン放送記録再生装置１００に対して主に異なる点は、以下の各点である。
【００２２】
（１）ストリーム処理部２から出力される番組のＴＳ信号から、重畳文字情報を検出する重畳文字検出部３１が設けられる点。
【００２３】
（２）重畳文字検出部３１で検出された重畳文字情報を文字の映像信号に変換する文字復号部３２が設けられる点。
【００２４】
（３）文字復号部３２から出力された文字の映像信号を、映像／音声復号部４から出力された映像信号に重畳する文字重畳部３３が設けられる点。
【００２５】
（４）制御部７１は、ＨＤＤ部（記録再生部）１２で記録と再生を同時実施中（タイム・フリー再生中）に、重畳文字情報が受信された場合、文字重畳部３３では、映像／音声復号部４から出力された映像信号と、文字復号部３２から出力された文字の映像信号を重畳した映像信号を出力する点。
【００２６】
また、本実施の形態のディジタル・テレビジョン放送記録再生装置１０１の特徴となる点で、従来のディジタル・テレビジョン放送記録再生装置１００でも有している特徴は以下の各点である。
【００２７】
（ａ）操作入力部９１は、従来と同様にディジタル・テレビジョン放送の番組情報の受信指示、番組情報の選択、記録再生部への記録と通常再生あるいはタイム・フリー再生（記録と再生の同時実施）の指示を入力することができる点。
【００２８】
（ｂ）ＨＤＤ部（記録再生部）１２は、データ・ストリーム信号を放送の受信レートよりも高速で読み出しおよび書き込みできるハード・ディスク・ドライブ（ＨＤＤ）装置である点。
【００２９】
（ｃ）ＨＤＤ部（記録再生部）１２の前段に、誤り訂正機能を有して伝送に用いられるデータ・ストリーム信号であるトランスポート・ストリーム（ＴＳ）信号を、誤り訂正機能を有していないプログラム・ストリーム（ＰＳ）信号に変換するＴＳ／ＰＳ変換部１１を備える点。
【００３０】
（ｄ）ＨＤＤ部（記録再生部）１２は、データ・ストリーム信号としてＴＳ信号を変換したＰＳ信号を記録および再生する点。
【００３１】
次に、この本実施の形態のディジタル・テレビジョン放送記録再生装置１０１の記録および再生動作について説明する。
【００３２】
復調部１から出力されるディジタル信号（ＴＳ信号）は、複数の番組およびデータのＴＳ信号より構成されている。なお、ＴＳ信号中には主映像、音声、字幕・文字情報が含まれる。
【００３３】
ストリーム処理部２では、その複数のＴＳ信号中からディジタル・テレビジョン放送記録再生装置１０１の使用者（視聴者）の希望するＴＳ信号を選択して出力する。また、ストリーム処理部２から出力されるＴＳ信号は、ＴＳ／ＰＳ変換部５と選択部３に同時に出力される。なお、使用者の希望は、操作入力部９１により、その指示あるいは選択内容が入力され、制御部７１の制御により指示あるいは選択内容が実施される。
【００３４】
以下の動作は、操作入力部９１により、番組を記録することが選択された場合（タイム・フリー再生が選択された場合の再生の準備段階としての記録処理も含む）と、操作入力部９１により、番組を記録することが選択されない場合（例えば、ディジタル・テレビジョン放送を受信時に生のまま｛ライブ、オンタイム｝で受信して再生する場合）とで異なる。
【００３５】
まず、番組を記録することが選択された場合には、ＴＳ／ＰＳ変換部５は、ＴＳ信号をＰＳ信号に変換し、ＨＤＤ部１２は番組のＰＳ信号を記録する。
【００３６】
番組を記録することが選択されない場合には、ＴＳ／ＰＳ変換部５では信号の変換が実施されなくなり、ＨＤＤ部１２ではＰＳ信号が記録されなくなる。また、選択部３ではストリーム処理部２から出力されるＴＳ信号を選択して映像／音声復号部４に出力する。映像／音声復号部４は、入力したＴＳ信号をＭＰＥＧ（Ｍｏｔｉｏｎ　Ｐｉｃｔｕｒｅ　Ｅｘｐｅｒｔｓ　Ｇｒｏｕｐ）規格の技術に基づいて復号し、音声信号についてはそのまま出力し、映像信号については文字重畳部３３に送出する。
【００３７】
重畳文字検出部３１では、ストリーム処理部２から出力されるＴＳ信号から、字幕あるいはスーパー・インポーズ等の重畳される字幕・文字情報を検出し、検出内容を文字復号部３２に出力すると共に、字幕・文字情報が検出されたことを制御部７１に通知する。文字復号部３２では、入力するＴＳ信号（字幕・文字情報）を、字幕・文字情報の映像信号に復号して文字重畳部３３に出力する。
【００３８】
文字重畳部３３では、重畳される字幕・文字情報が無い場合には、映像／音声復号部４から入力した主映像のみの映像信号を、例えば、陰極線管あるいは液晶等を用いた表示装置へ出力する。しかし、字幕・文字情報が有る場合には、映像／音声復号部４から入力した主映像の映像信号に対して、文字復号部３２から入力する字幕・文字情報の映像信号を重畳してコンポジット信号（輝度信号Ｙに色信号Ｃが周波数多重された信号）、あるいは、コンポーネント信号（Ｒ、Ｇ、Ｂ信号等カラー画像を表示するための３色の信号）の等の文字情報を含ませた映像信号を表示装置へ出力する。以上の処理が制御部７１の指示により実施される。
【００３９】
次に、ディジタル・テレビジョン放送記録再生装置１０１の再生動作について説明する。この再生動作は、通常再生のみでなく、タイム・フリー再生（記録と再生の同時実施）時の再生動作も同様である。
【００４０】
ディジタル・テレビジョン放送記録再生装置１０１で再生動作が実施される場合、制御部７１の指示により、ＨＤＤ部１２から再生されたＰＳ信号が選択部３に出力される。また、再生動作時には、選択部３はＨＤＤ部１２からのこの再生データ（ＰＳ信号）を選択し、映像／音声復号部４へ出力する。映像／音声復号部４は、入力した再生データ信号を、上記した番組を記録しない場合と同様にＭＰＥＧ（Ｍｏｔｉｏｎ　Ｐｉｃｔｕｒｅ　Ｅｘｐｅｒｔｓ　Ｇｒｏｕｐ）規格の技術に基づいて復号し、音声信号についてはそのまま出力し、映像信号については文字重畳部３３に送出する。
【００４１】
重畳文字検出部３１では、ストリーム処理部２から出力される生（ライブ）映像のＴＳ信号から、字幕あるいはスーパー・インポーズ等の重畳される字幕・文字情報を検出し、検出内容を文字復号部３２に出力すると共に、生（ライブ）映像のＴＳ信号から字幕・文字情報が検出されたことを制御部７１に通知する。文字復号部３２では、入力するＴＳ信号（字幕・文字情報）を、字幕・文字情報の映像信号に復号して文字重畳部３３に出力する。
【００４２】
文字重畳部３３では、重畳される生（ライブ）映像の字幕・文字情報が無い場合には、映像／音声復号部４から入力した再生データの映像信号を表示装置へ出力する。しかし、生（ライブ）映像の字幕・文字情報が有る場合には、映像／音声復号部４から入力した再生データの映像信号に対して、文字復号部３２から入力する生（ライブ）映像の字幕・文字情報の映像信号を重畳してコンポジット信号、あるいは、コンポーネント信号等の文字情報を含ませた映像信号を表示装置へ出力する。以上の処理が制御部７１の指示により実施される。
【００４３】
また、番組を記録しないで生（ライブ）放送のままで出力する場合には、従来と同様に、映像／音声復号部４から映像信号を直接に表示装置に出力しても良い。生放送出力の場合で、さらに文字が重畳される場合には、例えば、従来と同様に映像／音声復号部４内に文字復号部と文字重畳部を設けて、映像／音声復号部４から映像信号を直接に表示装置に出力するように構成しても良い。
【００４４】
次に、記録と再生を同時に実施するタイム・フリー再生について説明する。
まず、記録と再生を同時に実施できる理由は、上記したようにＨＤＤ部１が記録処理と再生処理を同時に実施できることが必要である。ＨＤＤ部１２に用いられたハード・ディスクは、情報の読み出し速度および書き込み速度が共に非常に高速であり、受信した放送のデータ・ストリーム信号を、放送の受信レートよりも高速で読み出しおよび書き込みすることができる。例えば、一般的にＨＤＤ装置は、数十Ｍビット／秒以上の転送能力があり、アクセス・スピードも非常に高速で、平均数ｍｓｅｃ程度である。
【００４５】
一方、ディジタル・テレビジョン放送記録再生装置１０１で放送を受信した映像情報の転送レートは、数Ｍビット／秒程度である。そのため、例えば、受信した映像情報をＨＤＤ部１２に記録する場合、ＨＤＤ部１２に書き込む時間よりも、復調部１やストリーム処理部２およびＨＤＤ部１２等を次の映像情報のために待機させる時間の方が長くなる。この待機時間に時分割処理で、ＨＤＤ部１２から読み出す再生動作や、復調部１やストリーム処理部２およびＨＤＤ部１２を用いて異なる番組の記録動作を行うことで、記録／再生の複数動作が可能となる。
【００４６】
タイム・フリー再生は、上記した記録／再生を複数動作できる特性を利用して、使用者が希望する生放送番組を、使用者が希望する時刻から希望する時間だけタイム・シフトさせて再生する機能である。
【００４７】
例えば、使用者が生放送のテレビジョン番組を視聴中に突然の来客や電話により視聴が中断されるような時に使用される機能である。使用者によりタイム・フリー再生用の記録が指定されると、そのテレビジョン番組の表示装置への出力が一時停止され、同時にそのテレビジョン番組の情報記録が開始される。
【００４８】
そして、使用者が再びテレビジョン番組の視聴が可能になったときには、使用者によりタイム・フリー再生用の再生が指定される。すると、テレビジョン番組の記録動作は引き続き継続されながら、テレビジョン番組の記録開始点から再生動作が実施されて表示装置へ出力される。このように使用者がテレビジョン番組を視聴不可能な時間だけタイム・シフトさせて、そのテレビジョン番組を表示装置へ出力をすることにより、視聴者が途中とぎれることなく任意のテレビジョン番組を見ることができる機能がタイム・フリー再生である。
【００４９】
タイム・フリー再生に特有の動作としては、ディジタル・テレビジョン放送記録再生装置１０１の使用者（視聴者）が生放送を視聴中である場合で、その途中に、突然の来客や電話により視聴が中断される場合に実施される動作がある。
【００５０】
その場合、タイム・フリー再生を前提として一旦テレビジョン視聴の中断を示すために、使用者によって操作入力部９１内に設けられた所定の操作ボタンが操作されると、制御部７１がこれ（タイム・フリー再生を前提とした視聴の中断）を感知する。すると、制御部７１では、映像／音声復号部４に対して現在表示中の映像信号を繰り返し表示出力するように指示する。これにより表示装置の画面上は一時停止状態となる。更に、制御部７１は、同時にＨＤＤ部１２に対しても、ＴＳ／ＰＳ変換部１１からの出力信号を記録開始するよう指示する。
【００５１】
表示装置の画面が一時停止状態になった後、制御部７１は、選択部３に対して出力信号としてＨＤＤ部１２からの出力信号を選択するように指示する。ただし、この状態ではＨＤＤ部１２は再生を開始していないなため、映像／音声復号部４から出力された静止画（一時停止画像）が表示装置へ出力されつづける。
【００５２】
使用者によって、視聴の中断を解除するために、操作入力部９１内に設けられた所定の操作ボタンが操作されると、制御部７１からの指示に基づいて、ＨＤＤ部１２は現在生放送中の番組の記録を継続しながら、その番組を記録開始した先頭から再生を開始する。この場合、上記したようにすでに制御部７１により選択部３がＨＤＤ部１２からの出力信号を選択しているため、映像／音声復号部４にはＨＤＤ部１２からの再生信号が入力され、コンポジット信号、コンポーネント信号等の映像信号に変換されて、文字従上部３３を通過して表示装置へと出力される。また、再生の開始時には、同時に映像／音声復号部４の一時停止状態も解除される。以上の動作によりタイム・フリー動作が実現され、使用者は中断前の映像を、時間遅れではあるが、引き続き視聴することが可能となり、見逃す画面がなくなる。
【００５３】
次に、本実施の形態でタイム・フリー再生中に、臨時ニュース等の重畳文字放送の受信を検出した場合について説明する。
【００５４】
まず、重畳文字放送が受信される前の、通常放送受信時でタイム・フリー再生が実施されている場合は、上記したように選択部３は、ＨＤＤ部１２からの再生データを選択しており、映像／音声復号部４は、その再生データを映像信号に変換して出力する。文字重畳部３３では、映像／音声復号部４から出力される映像信号をそのまま通過させて表示装置に出力する。
【００５５】
図２は、図１のディジタル・テレビジョン放送記録再生装置１０１から出力された映像信号を表示する表示装置の画面の一例を示す図である。
【００５６】
このタイム・フリー再生中のディジタル・テレビジョン放送記録再生装置１０１で重畳文字放送が検出されると、重畳文字検出部３１では、重畳される文字に関する情報（データ・ストリーム）がＴＳストリームから抽出され、制御部７１に重畳文字放送が開始されたことが通知される。検出された重畳文字情報は、文字復号部３２で映像信号に変換される。制御部７１は、重畳文字放送が開始されたことを通知の受信により検知すると、文字重畳部３３へ、文字復号部３２の出力映像（重畳文字）８０と映像／音声復号部４の出力映像（主映像）６０とを重畳するよう指示を出力する。文字重畳部３３は、再生された主映像６０に生放送中の重畳文字８０を重畳した映像信号を出力し、表示装置の画面２０では、その主映像６０と重畳文字８０が重畳された映像が表示される。
【００５７】
以上の動作により、本実施の形態のディジタル・テレビジョン放送記録再生装置１０１では、タイム・フリー再生中においても、重畳文字情報については生放送のタイミング（リアル・タイム）で視聴することが可能となる。
【００５８】
なお、上記した説明では、ディジタル・テレビジョン放送記録再生装置１０１がタイム・フリー再生状態にある場合に、生放送の重畳文字を重畳させる動作を説明したが、本実施の形態はタイム・フリー状態だけでなく、例えば、ＨＤＤ部１２が通常の再生状態にある場合や、ＨＤＤ部１２で１個の生放送番組の記録を行いながら同時に別の番組の記録を再生する場合においても、同様な動作により生放送の重畳文字を重畳させることができる。従って、本実施の形態のディジタル・テレビジョン放送記録再生装置１０１の使用者は、通常再生中や記録中の番組とは別番組を再生中であっても、緊急ニュース等をリアル・タイムに視聴することができる。
【００５９】
このように、本実施の形態のディジタル・テレビジョン放送記録再生装置は、ストリーム処理部の生放送出力から重畳される文字を検出し、再生された映像信号にその文字を重畳させて表示装置に出力できる。従って、ディジタル・テレビジョン放送記録再生装置の使用者は、例えば、生放送を視聴していなくても、文字が重畳された生放送を受信した場合は動作状態にかかわらず重畳文字が表示されるので、緊急ニュース等をリアル・タイムに知ることができる。
【００６０】
また、本実施の形態では、上記したように記録再生部をデータ・ストリーム信号を放送の受信レートよりも高速で読み出しおよび書き込みできるＨＤＤで構成したので、大容量の記録再生とタイム・フリー再生が可能となり、更に比較的低コストのディジタル放送記録再生装置を提供することができる。
【００６１】
また、本実施の形態では、上記したようにＨＤＤ部１２の前段にＴＳ／ＰＳ変換部１１を設け、ＨＤＤ部１２がＰＳ信号を記録および再生するので、記録再生部の読み出しおよび書き込みのレートをさらに高速にすることができる。
【００６２】
実施の形態２．
上記した実施の形態１では、重畳文字放送が開始されるとリアル・タイムに重畳文字を表示させることができたが、ＨＤＤ部１２には重畳文字を含めた映像信号が記録されるので、再生される場合も重畳文字を含むことになる。従って、実施の形態１では、一旦記録されてから再生された重畳文字と、リアル・タイムの重畳文字の双方が表示装置に表示される。その場合、使用者（視聴者）は、表示装置に現在表示されている重畳文字がリアル・タイムのものか、タイム・フリー再生の時間分だけ遅れたものであるか、区別がつかない場合が想定される。
【００６３】
以下に示す本発明の実施の形態２のディジタル・テレビジョン放送記録再生装置では、タイム・フリー再生中のリアル・タイムの重畳文字を判別できるようにしたものについて説明する。
【００６４】
図３は、本発明の実施の形態２のディジタル・テレビジョン放送記録再生装置の構成を示すブロック図である。なお、図２に示す本実施の形態のディジタル・テレビジョン放送記録再生装置１０２では、図１に示す実施の形態１の映像ディジタル・テレビジョン放送記録再生装置１０１に示された部分と同一あるいは同等な機能を有する部分には同符号を付し、重複する機能の説明を省略する。
【００６５】
図２に示すディジタル・テレビジョン放送記録再生装置１０２が、図１に示した実施の形態１のディジタル・テレビジョン放送記録再生装置１０１に対して主に異なる点は、以下の各点である。
【００６６】
（５）例えば、「生情報」等のように、重畳文字情報が記録および再生された情報ではなく生情報であることを示す文字情報（文字列）を格納する文字情報蓄積部４１を備える点。
【００６７】
（６）制御部７１は、文字重畳部３３が映像／音声復号部４からの映像信号（主映像）に文字復号部３２からの映像信号（重畳文字）を重畳する際には、文字重畳部３３に文字情報蓄積部４１から出力した文字列をさらに重畳させる点。
【００６８】
次に、本実施の形態で、タイム・フリー再生中に、臨時ニュース等の重畳文字放送の受信を検出した場合について説明する。
【００６９】
まず、重畳文字放送が受信される前の、通常放送受信時でタイム・フリー再生が実施されている場合は、上記したように選択部３は、ＨＤＤ部１２からの再生データを選択しており、映像／音声復号部４は、その再生データを映像信号に変換して出力する。文字重畳部３３では、映像／音声復号部４から出力される映像信号をそのまま通過させて表示装置に出力する。
【００７０】
図４は、図３のディジタル・テレビジョン放送記録再生装置１０２から出力された映像信号を表示する表示装置の画面の一例を示す図である。
【００７１】
タイム・フリー再生中のディジタル・テレビジョン放送記録再生装置１０２で重畳文字放送が検出されてから、制御部７１が、重畳文字放送が開始されたことを通知の受信により検知するところまでは、上記した実施の形態１と同様である。本実施の形態では、その後、制御部７１は、文字重畳部３３へ、文字復号部３２の出力映像（重畳文字）８０と映像／音声復号部４の出力映像（主映像）６０とを重畳するよう指示を出力する際に、同時に文字情報蓄積部４１からの文字情報８１も重畳するよう指示を出力する。
【００７２】
文字重畳部３３は、再生された主映像６０に生放送中の重畳文字８０と文字情報８１を重畳した映像信号を出力し、表示装置の画面２０では、その主映像と重畳文字８０および文字情報８１が重畳された映像が表示される。
【００７３】
以上の動作により、本実施の形態のディジタル・テレビジョン放送記録再生装置１０２では、タイム・フリー再生中においても、使用者は重畳文字情報については生放送のタイミング（リアル・タイム）で視聴することができるだけでなく、例えばタイム・フリー再生中であっても、表示された文字が生情報であることを明確に知ることができる。
【００７４】
なお、生情報であることを示す文字情報（文字列）８１は、例えば、キャラクタあるいはフォントの文字コードにより蓄積しても良いし、デザイン文字等の画像化したデータであってもよい。
【００７５】
また、本実施の形態では、表示装置に表示されている映像がタイム・フリー再生中の映像であることを示す文字列８２についても表示できるようにした。文字列８１と文字列８２を同時に表示させることで、重畳された文字情報が、タイム・フリー再生中であっても生情報であることをより明確に認識することができる。
【００７６】
なお、本実施の形態のディジタル・テレビジョン放送記録再生装置１０２の使用者は、実施の形態１の場合と同様に、通常再生中や、記録中の番組とは別番組を再生中であっても、緊急ニュース等をリアル・タイムに視聴することができることに加えて、その内容が生情報であることをより明確に認識することができる。
【００７７】
このように、本実施の形態のディジタル・テレビジョン放送記録再生装置は、生情報であることを示す文字情報（文字列）を格納する文字情報蓄積部４１を設け、主映像に重畳文字を重畳する際には、文字情報蓄積部４１から出力した文字列をさらに重畳させるようにした。従って、ディジタル・テレビジョン放送記録再生装置の使用者は、例えば、生放送を視聴していなくても、動作状態にかかわらず緊急ニュース等をリアル・タイムに知ることができ、さらにその緊急ニュース等の重畳文字が表示されている主画像の映像にかかわらず生情報であることを確実かつ容易に認識することができる。
【００７８】
実施の形態３．
上記した実施の形態１および２では、ディジタル・テレビジョン放送記録再生装置の動作状態にかかわらず、重畳文字放送が開始されると、無条件に重畳文字を重畳させるように構成していたので、使用者は臨時ニュース等の重畳文字の放送を生放送のタイミングで見ることができた。しかし、重畳文字の放送は、全てが臨時ニュース等の緊急性を要する情報であるとは限らない。例えば、外国映画や外国語放送では、翻訳内容が重畳文字として表示装置に表示されるが、この翻訳内容等は、逆に、主映像のタイミングと一致させる必要があり、タイム・フリー再生中に生放送の内容で上書きされてしまうと、映像と翻訳内容の文字が一致しなくなるので不都合が生じる。
【００７９】
以下に示す本発明の実施の形態３のディジタル・テレビジョン放送記録再生装置では、例えば、タイム・フリー再生中に、リアル・タイムの重畳文字を自動表示させるか否か、再生映像受信時の重畳文字を表示させるか否かを選択できるようにしたものについて説明する。
【００８０】
図５は、本発明の実施の形態３のディジタル・テレビジョン放送記録再生装置の構成を示すブロック図である。なお、図５に示す本実施の形態のディジタル・テレビジョン放送記録再生装置１０３では、図３に示す実施の形態２の映像ディジタル・テレビジョン放送記録再生装置１０２に示された部分と同一あるいは同等な機能を有する部分には同符号を付し、重複する機能の説明を省略する。
【００８１】
図５に示すディジタル・テレビジョン放送記録再生装置１０３が、図３に示した実施の形態２のディジタル・テレビジョン放送記録再生装置１０２に対して主に異なる点は、以下の各点である。
【００８２】
（７）操作入力部９１により重畳文字情報を受信時に表示させるか非表示かを選択でき、その重畳文字情報の表示について選択された内容を格納する重畳文字設定格納部５１を備える点。
【００８３】
（８）制御部７１は、使用者が受信時の表示を選択している場合、文字重畳部３３に重畳文字情報を重畳させ、使用者が受信時の非表示を選択している場合、文字重畳部に前記重畳文字情報を重畳させない点。
【００８４】
（９）実施の形態２で説明した文字情報蓄積部４１を備える場合には、重畳文字設定格納部５１は、文字情報蓄積部４１に格納された文字列を表示するか非表示にするかの設定についても格納する点。
【００８５】
（１０）文字情報蓄積部４１に複数の文字列を格納する場合には、操作入力部９１は、その複数の文字列から任意の文字列を選択でき、重畳文字設定格納部５１は、その選択された文字列の設定も格納する点。
【００８６】
ところで、重畳文字情報を受信時に表示させるか非表示かを選択するためには、受信したＴＳ信号中に選択可能性を示す字幕管理データを有している必要がある。
【００８７】
図６は、ディジタル放送の字幕用ＴＳ信号中に含まれる字幕管理データのパラメータを示す図である。
【００８８】
図６の字幕管理データ中では、ＤＭＦ（表示フラグ・モード）という項目が表示させるか非表示かを選択するための選択可能性を示す項目である。
【００８９】
図６のＤＭＦパラメータが、”００００”である場合、または、”００１０”である場合は、重畳文字の放送受信時に自動表示するように放送局側から指定される。この場合は、例えば、地震等に関する臨時ニュースのように重畳文字が緊急性が高い情報であることから、ＤＭＦモードとして、”００００”、あるいは、”００１０”が選択されて放送されたと考えられ、ディジタル・テレビジョン放送記録再生装置１０３側で重畳文字情報を受信時に表示させるか非表示かを選択することはできない。
【００９０】
しかし、ＤＭＦのパラメータが、”１０１０”である場合は、重畳文字の放送受信時に、ディジタル・テレビジョン放送記録再生装置１０３側で重畳文字情報の表示／非表示の選択をすることを放送局側（送信側）が許している。この場合は、外国語放送の翻訳内容等のように緊急性の低い情報であることから、ＤＭＦモードとして、”１０１０”が選択されて放送されたと考えられる。従って、ディジタル・テレビジョン放送記録再生装置１０３側で重畳文字情報を受信時に表示させるか非表示かを選択することができる。
【００９１】
次に、本実施の形態で、タイム・フリー再生中に、臨時ニュース等の重畳文字放送の受信を検出した場合について説明する。
【００９２】
例えば、予め使用者が操作入力部９１で重畳文字情報を表示しないように設定して、その設定内容が重畳文字設定格納部５１に格納されている場合でも、重畳文字検出部３１によりＤＭＦのパラメータが、”００００”、あるいは、”００１０”の何れかであることが検出された場合、制御部７１は、上記した実施の形態１あるいは２と同様に文字重畳部３３に対して、重畳文字情報を重畳する指示を出力する。
【００９３】
しかし、重畳文字情報を表示しない設定内容が重畳文字設定格納部５１に格納されている場合で、重畳文字検出部３１によりＤＭＦのパラメータが、”１０１０”であることが検出された場合、制御部７１は、文字重畳部３３に対して、重畳文字情報を重畳する指示を出力しないようにする。
【００９４】
従って、放送局側（送信側）が重畳文字情報の表示／非表示の選択を許している放送を受信する場合に限られるが、使用者が重畳文字を表示しないようにディジタル・テレビジョン放送記録再生装置を設定することにより、使用者は不要な重畳文字情報を見ないで番組を視聴することができる。
【００９５】
なお、本実施の形態のディジタル・テレビジョン放送記録再生装置１０３の使用者は、実施の形態１または２の場合と同様に、通常再生中や、記録中の番組とは別番組を再生中であっても、緊急ニュース等をリアル・タイムに視聴することができること、その内容が生情報であることをより明確に認識することができることに加えて、設定することにより、不要な重畳文字情報を見ないで番組を視聴することができる。
【００９６】
このように、本実施の形態のディジタル・テレビジョン放送記録再生装置は、重畳文字設定格納部５１を設けて、重畳文字情報の表示／非表示の選択設定を格納できるようにした。従って、ディジタル・テレビジョン放送記録再生装置の使用者は、緊急性が低く不要な重畳文字情報については見ないで番組を視聴できるので、より快適に番組を視聴することができる。
【００９７】
また、本実施の形態が実施の形態２で説明した文字情報蓄積部４１を備える場合には、重畳文字設定格納部５１は、文字情報蓄積部４１に格納された文字列を表示するか非表示にするかの設定についても格納できるので、生情報を表示する場合はわかりやすく認識でき、表示しない場合は、不要な情報を見ないで快適に視聴することができる。
【００９８】
また、本実施の形態で文字情報蓄積部４１に複数の文字列を格納する場合には、操作入力部９１により、その複数の文字列から任意の文字列を選択することができ、重畳文字設定格納部５１で、その選択された文字列の設定を格納することで、生情報を表示する場合はいっそうわかりやすく認識でき、表示しない場合は、不要な情報を見ないで快適に視聴することができる。
【００９９】
なお、上記した各実施の形態では、記録再生部として磁気ディスクのＨＤＤ部１２を採用した例について説明したが、本発明はこれに限定されるものではなく、例えば、光ディスクあるいは光磁気ディスク等のように他の記憶媒体を用いたものについても適用することができる。但し、その記憶媒体は記録および再生が可能であり、記録再生部は記録と再生が同時に実施されるタイム・フリー再生ができるように放送の受信レートよりも高速のれーたで記録及び再生を実施できるものでなければならない。
【０１００】
【発明の効果】
請求項１のディジタル・テレビジョン放送記録再生装置によれば、ストリーム処理部の生放送出力から重畳される文字を検出し、再生された映像信号にその文字を重畳させて表示装置に出力できるので、ディジタル・テレビジョン放送記録再生装置の使用者は、文字が重畳された生放送を受信した場合は動作状態にかかわらず、重畳文字放送を受信した場合にはその重畳文字が表示されるので、緊急ニュース等をリアル・タイムに知ることができる。
【０１０１】
請求項２のディジタル・テレビジョン放送記録再生装置によれば、生情報であることを示す文字情報（文字列）を格納する文字情報蓄積部４１を設けて、主映像に重畳文字を重畳する際には文字情報蓄積部４１から出力した文字列をさらに重畳させるようにしたので、ディジタル・テレビジョン放送記録再生装置の使用者は、動作状態にかかわらず緊急ニュース等をリアル・タイムに知ることができることに加えて、さらにその緊急ニュース等の重畳文字が、表示されている主画像の映像にかかわらず生情報であることを確実にかつ容易に認識することができる。
【０１０２】
請求項３のディジタル・テレビジョン放送記録再生装置によれば、重畳文字設定格納部５１を設けて、重畳文字情報の表示／非表示の選択設定を格納できるようにしたので、ディジタル・テレビジョン放送記録再生装置の使用者は、緊急性が低く不要な重畳文字情報については見ないで番組を視聴でき、より快適に番組を視聴することができる。
【０１０３】
請求項４のディジタル・テレビジョン放送記録再生装置によれば、文字情報蓄積部を備える場合、重畳文字設定格納部は、文字情報蓄積部に格納された文字列を表示するか非表示にするかの設定についても格納できるので、生情報を表示する場合はわかりやすく認識でき、表示しない場合は、不要な情報を見ないで快適に視聴することができる。
【０１０４】
請求項５のディジタル・テレビジョン放送記録再生装置によれば、文字情報蓄積部に複数の文字列を格納する場合、操作入力部により、その複数の文字列から任意の文字列を選択することができ、重畳文字設定格納部では、その選択された文字列の設定を格納するので、生情報を表示する場合はいっそうわかりやすく認識でき、表示しない場合は、不要な情報を見ないで快適に視聴することができる。
【０１０５】
請求項６のディジタル・テレビジョン放送記録再生装置によれば、記録再生部をデータ・ストリーム信号を放送の受信レートよりも高速で読み出しおよび書き込みできるＨＤＤで構成したので、大容量の記録再生とタイム・フリー再生が可能となり、更に比較的低コストのディジタル放送記録再生装置を提供することができる。
【０１０６】
請求項７のディジタル・テレビジョン放送記録再生装置によれば、ＨＤＤ部の前段にＴＳ／ＰＳ変換部を設けてＨＤＤ部がＰＳ信号を記録および再生するようにしたので、記録再生部の読み出しおよび書き込みのレートをさらに高速にすることができる。
【図面の簡単な説明】
【図１】本発明の実施の形態１のディジタル・テレビジョン放送記録再生装置の構成を示すブロック図である。
【図２】図１のディジタル・テレビジョン放送記録再生装置から出力された映像信号を表示する表示装置の画面の一例を示す図である。
【図３】本発明の実施の形態２のディジタル・テレビジョン放送記録再生装置の構成を示すブロック図である。
【図４】図３のディジタル・テレビジョン放送記録再生装置から出力された映像信号を表示する表示装置の画面の一例を示す図である。
【図５】本発明の実施の形態３のディジタル・テレビジョン放送記録再生装置の構成を示すブロック図である。
【図６】ディジタル放送の字幕用ＴＳ信号中に含まれる字幕管理データのパラメータを示す図である。
【図７】従来のディジタル・テレビジョン放送記録再生装置の構成を示すブロック図である。
【符号の説明】
１　復調部、　２　ストリーム処理部、　３　選択部、　４　映像／音声復号部、　１１　ＴＳ／ＰＳ変換部、　１２　ＨＤＤ部、　３１　重畳文字検出部、３２　文字復号部、　３３　文字重畳部、　５１　重畳文字設定格納部、　６０　表示装置の画面出力映像（主映像）、　７０、７１　制御部、　８０　文字復号部の出力映像（重畳文字）、　８１　文字情報蓄積部からの文字情報、　８２　タイム・フリー再生中の映像であることを示す文字列、　９１　操作入力部、　１００、１０１、１０２、１０３　ディジタル・テレビジョン放送記録再生装置。
【図１】
2004072439.tif 000003
【図２】
2004072439.tif 000004
【図３】
2004072439.tif 000005
【図４】
2004072439.tif 000006
【図５】
2004072439.tif 000007
【図６】
2004072439.tif 000008
【図７】
2004072439.tif 000009